(57)【要約】      （修正有）【課題】比較的コンパクトで、かつ信頼性も比較的高いフェライトコアを提供する。【解決手段】巻芯部と、該巻芯部の軸方向に沿った巻芯部の両側に配置された一対の第１脚部と、該軸方向と直交する方向に沿って該一対の第１脚部から離間して、該巻芯部の両側に配置された一対の第２脚部と、該一対の第１脚部から該一対の第２脚部に向かう方向に沿って該一対の第２脚部から離間して、該巻芯部の両側に配置された一対の第３脚部と、を備えるフェライトコアであって、該軸方向に沿った該巻芯部の一方端側において、該第１脚部は該第２脚部に比べて該軸方向に沿った長さが長く、該第２脚部は該第３脚部に比べて該軸方向に沿った長さが長く、かつ、該軸方向に沿った該巻芯部の他方端側において、該第１脚部は該第２脚部に比べて該軸方向に沿った長さが短く、該第２脚部は該第３脚部に比べて該軸方向に沿った長さが短いことを特徴とするフェライトコア。【選択図】図１
2011097085.tif 000002
【特許請求の範囲】
【請求項１】
巻芯部と、
前記巻芯部の軸方向に沿った前記巻芯部の両側に配置された一対の第１脚部と、
前記軸方向と直交する方向に沿って前記一対の第１脚部から離間して、前記巻芯部の前記両側に配置された一対の第２脚部と、
前記一対の第１脚部から前記一対の第２脚部に向かう方向に沿って前記一対の第２脚部から離間して、前記巻芯部の前記両側に配置された一対の第３脚部と、
を備えるフェライトコアであって、
前記軸方向に沿った前記巻芯部の一方端側において、前記第１脚部は前記第２脚部に比べて前記軸方向に沿った長さが長く、前記第２脚部は前記第３脚部に比べて前記軸方向に沿った長さが長く、
かつ、前記軸方向に沿った前記巻芯部の他方端側において、前記第１脚部は前記第２脚部に比べて前記軸方向に沿った長さが短く、前記第２脚部は前記第３脚部に比べて前記軸方向に沿った長さが短いことを特徴とするフェライトコア。
【請求項２】
前記巻芯部の前記一方端側に位置する前記第１脚部と、前記巻芯部の前記他方端側に位置する前記第３脚部とは、前記軸方向に沿った長さが等しく、
前記巻芯部の前記他方端側に位置する前記第１脚部と、前記巻芯部の前記一方端側に位置する前記第３脚部とは、前記軸方向に沿った長さが等しいことを特徴とする請求項１記載のフェライトコア。
【請求項３】
前記巻芯部の前記一方端側に位置する前記第１脚部と、前記巻芯部の前記他方端側に位置する前記第３脚部とは、前記直交する方向に沿った長さが等しく、
前記巻芯部の前記他方端側に位置する前記第１脚部と、前記巻芯部の前記一方端側に位置する前記第３脚部とは、前記直交する方向に沿った長さが等しいことを特徴とする請求項２記載のフェライトコア。
【請求項４】
一対の前記第１脚部それぞれの底面、一対の前記第２脚部それぞれの底面、および一対の前記第３脚部それぞれの底面に、電極層が被着されていることを特徴とする請求項１〜３のいずれかに記載のフェライトコア。
【請求項５】
請求項４に記載のフェライトコアに導線を巻回してなるコモンモードノイズフィルター。
【請求項６】
巻芯部と、
前記巻芯部の軸方向に沿った前記巻芯部の両側に配置された一対の第１脚部と、
前記軸方向と直交する方向に沿って前記一対の第１脚部から離間して、前記巻芯部の前記両側に配置された一対の第２脚部と、
を有するフェライトコアであって、
前記第１脚部および前記第２脚部は、底面における長軸と短軸の比であるアスペクト比が、いずれも１より大きく、
前記軸方向に沿った前記巻芯部の一方端側において、前記第１脚部の前記長軸と前記軸方向とのなす角が、前記第２脚部の前記長軸と前記軸方向とのなす角に比べて大きく、
前記軸方向に沿った前記巻芯部の他方端側において、前記第１脚部の前記長軸と前記軸方向とのなす角が、前記第２脚部の前記長軸と前記軸方向とのなす角に比べて小さいことを特徴とするフェライトコア。
【請求項７】
一対の前記第１脚部それぞれの底面、一対の前記第２脚部それぞれの底面、および一対の前記第３脚部それぞれの底面に、電極層が被着されていることを特徴とする請求項６記
載のフェライトコア。
【請求項８】
請求項７に記載のフェライトコアに導線を巻回してなるコモンモードノイズフィルター。
【発明の詳細な説明】
【技術分野】
【０００１】
本発明は、高周波信号を扱う各種電子機器のコモンモードノイズ対策に適合するフェライトコア、および差動伝送回路等に用いるコモンモードノイズフィルターに関する。
【背景技術】
【０００２】
従来、電源ラインの不要輻射対策、高周波信号のコモンモードノイズ対策にコモンモードノイズフィルターが利用されている。
【０００３】
このコモンモードノイズフィルターは、図９に示すように、巻芯部５の両端に鍔部１と、該鍔部１に連続する複数の脚部２とを備えてなり、脚部２の底面側の端部に電極４を形成してフェライトコア６を得、該フェライトコア６の巻芯部５にバイファイラ巻等により複数の導線７を数ターンから数十ターン巻回して、さらに導線７の巻き始めの先端と巻終わりの端末を脚部２の底面側の電極４に各々半田付けや熱圧着等により導電接続した構造となっている。
【０００４】
このようなコモンモードノイズフィルターは、２本の導線７に同相電流が流れる場合は、磁束は足し合わされインピーダンスが大きくなる。逆に、２本の導線７に逆相電流が流れる場合は、磁束は打ち消されインピーダンスはほとんど発生しない。このように、コモンモードノイズフィルターは、同相電流が流れにくく、逆相電流は流れやすいというフィルター機能を持つ電子部品である。
【０００５】
また、このコモンモードノイズフィルターが使われる情報通信機器分野では、部品に対する小型、軽量化の要求がある。その要求にしたがい、コモンモードノイズフィルターのサイズも、実装時の面積である略四角形のサイズが、縦３．２ｍｍ、横１．６ｍｍである３２１６、縦２．５ｍｍ、横２．０ｍｍである２５２０、同様に２０１２、１６０８、１２１０と小型化にシフトしてきている。
【０００６】
特許文献１では、図９に示すように、フェライトコア６における各脚部２のすべての稜線部に曲面体を形成することが提案されている。
【０００７】
脚部２の全ての稜線部に曲率半径０．２ｍｍ程度の曲面体を形成したことにより、稜線部による導線７の短絡および耐圧劣化といった問題を防止できるとされている。また、脚部２の巻芯部５側に、傾斜面を形成することにより、巻芯部５に巻回されたバイファイラ巻きの導線７の電極４への接続をより緩やかな角度で行うことが可能となり、これにより、より信頼性の高いコモンモードノイズフィルターとすることが示されている。
【０００８】
次に、特許文献２では、図１０に示すように、脚部２に傾斜面を形成することが提案されている。
【０００９】
巻芯部５の軸Ｘの方向に平行な垂直面に対して９０°未満の角度を持たせるとともに、巻芯部５の軸Ｘ方向に対して９０°を越える角度を持たせることにより導線７の間に必要な間隔を持たせることができ、接続される脚部２の電極４が隣接する脚部２の電極４に接触し短絡や耐圧の劣化等を確実に防止できるとされている。
【００１０】
また、その傾斜面に沿って導線７を取り付ける場合、導線７の曲折角度を緩やかな角度で行うことが可能となり導線７の断線を防止することができ、より信頼性の高いコモンモードノイズフィルターとすることが示されている。
【先行技術文献】
【特許文献】
【００１１】
【特許文献１】特開２００２−３２９６１８号公報
【特許文献２】特許第３１６８９７２号
【発明の概要】
【発明が解決しようとする課題】
【００１２】
コモンモードノイズフィルターが使われる情報通信機器分野では、機器の小型化に伴い、部品の小型、軽量化の要求があり、巻線型コモンモードノイズフィルターでも、実装時の略四角形のサイズが、縦３．２ｍｍ横１．６ｍｍのサイズから、同様に縦２．５ｍｍ横２．０ｍｍ、縦２．０ｍｍ横１．２ｍｍ、縦１．６ｍｍ横０．８ｍｍ、もしくは、縦１．２ｍｍ横１．０ｍｍと小型化にシフトしてきている。
【００１３】
ここで、特許文献１に示すようなフェライトコアを用いたコモンモードノイズフィルターでは、部品サイズの小型化が進むにつれて脚部２の大きさも小さくなることから実装時の接着面積が小さくなり密着強度が得にくくなるという問題を有している。
【００１４】
また、特許文献２に示すようなフェライトコアを用いたコモンモードノイズフィルターでは、脚部２に傾斜面を設けることで脚部２の底面の面積が更に小さくなり実装時の密着強度が更に弱くなるという問題を有している。
【００１５】
本発明は、上記問題点を解決するものであり、導線が隣接する脚部電極に接触して短絡を生じたり、耐圧の劣化や絶縁不良を起こしたりすることなく、また実装時の密着性を上げるため脚部２の面積を大きく取ったフェライトコアとこれを用いたコモンモードノイズフィルターを提供することを目的とする。
【課題を解決するための手段】
【００１６】
上記課題を解決するために、巻芯部と、前記巻芯部の軸方向に沿った第１方向における一方端側に設けられた、前記第１方向と直交する第２方向に沿って配置された複数の第１脚部と、複数の前記第１脚部それぞれの底面を覆う第１電極と、前記巻芯部の前記第１方向における他方端側に設けられた、前記第２方向に沿って配置された複数の第２脚部と、複数の前記第２脚部それぞれの底面を覆う第２電極と、を有するフェライトコアであって、前記第２方向の両端に位置する前記第１電極は、前記第２方向に沿った一方端部に位置する前記第１電極の方が、前記第２方向に沿った他方端部に位置する前記第１電極に比べて、前記第１方向に沿った長さが長く、前記第２方向の両端に位置する前記第２電極は、前記第２方向に沿った前記一方端部に位置する前記第２電極の方が、前記第２方向に沿った前記他方端部に位置する前記第２電極に比べて、前記第１方向に沿った長さが短いことを特徴とするフェライトコアを提供する。
【００１７】
また、上述のフェライトコアに導線を巻回してなるコモンモードノイズフィルターを、併せて提供する。
【発明の効果】
【００１８】
本発明では、比較的コンパクトで、かつ信頼性も比較的高いフェライトコアを提供することができる。
【図面の簡単な説明】
【００１９】
【図１】（ａ）は本発明のコモンモードノイズフィルターの第１の実施形態を示す斜視図であり、（ｂ）はフェライトコアの第1の実施形態を示す斜視図である。
【図２】（ａ）は本発明のコモンモードノイズフィルターの第２の実施形態を示す斜視図であり、（ｂ）はフェライトコアの第２の実施形態を示す斜視図である。
【図３】（ａ）、（ｂ）は本発明のフェライトコアの第２の実施形態の他の例を示す平面図である。
【図４】本発明のコモンモードノイズフィルターの第２の実施形態の他の例を示す平面図である。
【図５】（ａ）は本発明のコモンモードノイズフィルターの第２の実施形態の他の例を示す斜視図であり、（ｂ）はフェライトコアの第２の実施形態の他の例を示す斜視図である。
【図６】（ａ）は本発明のコモンモードノイズフィルターの第３の実施形態を示す斜視図であり、（ｂ）はフェライトコアの第３の実施形態を示す斜視図である。
【図７】（ａ）は本発明のコモンモードノイズフィルターの第３の実施形態の他の例を示す斜視図であり、（ｂ）はフェライトコアの第３の実施形態の他の例を示す斜視図である。
【図８】（ａ）は本発明のコモンモードノイズフィルターの第３の実施形態の他の例を示す斜視図であり、（ｂ）はフェライトコアの第３の実施形態の他の例を示す斜視図である。
【図９】従来のフェライトコア示す図である。
【図１０】従来のフェライトコア示す図である。
【発明を実施するための形態】
【００２０】
以下、本発明の実施形態を図面に基づいて説明する。
【００２１】
図１は、本発明のフェライトコアの一実施形態を示す底面側を上方にした状態を示す図であり、図１（ａ）は本発明のフェライトコアに導線を巻回してなるコモンモードノイズフィルターであり、同図（ｂ）は本発明のフェライトコアを示す斜視図である。
【００２２】
このフェライトコア６を構成するフェライト磁器は、Ｎｉ−Ｚｎ系フェライト、Ｍｎ−Ｚｎ系フェライトなどの磁性材料等から成り、巻芯部５と、該巻芯部５の両端にはそれぞれ鍔部１と、該鍔部１に連続する複数の脚部２ａ〜２ｃとからなる第１鍔部３、鍔部１１と、該鍔部１１に連続する複数の脚部１２ａ〜１２ｃとからなる第２鍔部１３とを有し、各脚部２ａ〜２ｃ、１２ａ〜１２ｃの底面側の端部には電極４が形成されている。
【００２３】
例えば、２５２０サイズと言われるフェライトコア６は、短辺寸法Ｂが２．０ｍｍとなるため、第1鍔部３、第２鍔部１３に形成された脚部２ａ〜２ｃ、１２ａ〜１２ｃの間隔
は破壊強度と厚膜印刷時に使用する高粘度のペーストの短絡防止を考慮し約０．４ｍｍと非常に小さくなっている。
【００２４】
そして、図１（ａ）に示すようにフェライトコア６の巻芯部５に導線７を巻回し、その両端を各脚部２ａ〜２ｃ、１２ａ〜１２ｃの電極４に接続することでコモンモードノイズフィルターを構成する。
【００２５】
ここで、本発明のフェライトコアの第１の実施形態について説明する。
【００２６】
本発明のフェライトコア６は、図１に示すように各脚部２ａ〜２ｃ、１２ａ〜１２ｃの断面が巻芯部５側から底面側に向かって一定であり、底面の面積を減少させることなく形成することが重要で、このことから実装時の接着面積の減少をなくし密着強度の安定化が図れる。
【００２７】
なお、上記脚部２ａ〜２ｃ、１２ａ〜１２ｃの断面とは脚部２ａ〜２ｃ、１２ａ〜１２
ｃの底面と平行な面における断面のことである。
【００２８】
また、第１鍔部３の各脚部２ａ〜２ｃにおける巻芯部５の軸Ｘ方向に平行な最大長さＡ１〜Ａ３が一方側面の脚部２ｃから他方側面の脚部２ａに向かって段階的に短くなる、即ちＡ１＜Ａ２＜Ａ３であるとともに、第２鍔部１３の各脚部１２ａ〜１２ｃにおける上記巻芯部５の軸Ｘ方向に平行な最大長さＡ４〜Ａ６が他方側面の脚部１２ａから一方側面の脚部１２ｃに向かって段階的に短くなる、即ちＡ４＞Ａ５＞Ａ６であることが重要である。
【００２９】
これによって、フェライトコア６の巻芯部５に導線７を巻回してコモンモードノイズフィルターを形成した場合、巻芯部５の導線７から各脚部２ａ〜２ｃ、１２ａ〜１２ｃへ配線する際に障害になることなく導線７と各脚部２ａ〜２ｃ、１２ａ〜１２ｃの間に所定の間隔が生まれ導線７と脚部２ａ〜２ｃ、１２ａ〜１２ｃに形成された電極４が接触して起こる短絡を防止し、導線７と脚部２ａ〜２ｃ、１２ａ〜１２ｃが接触して発生する耐圧劣化の発生を防止することができる。
【００３０】
また、図２に示すように第１鍔部３、第２鍔部１３の有する脚部がそれぞれ２つである場合も同様に、各脚部２ａ、２ｃ、１２ａ、１２ｃの断面が巻芯部５側から底面側に向かって一定であり、第１鍔部３の各脚部２ａ、２ｃにおける巻芯部５の軸Ｘ方向に平行な最大長さＡ１、Ａ３が一方側面の脚部２ｃから他方側面の脚部２ａに向かって段階的に短くなるとともに、第２鍔部１３の各脚部１２ａ、１２ｃにおける上記巻芯部５の軸Ｘ方向に平行な最大長さＡ４、Ａ６が他方側面の脚部１２ａから一方側面の脚部１２ｃに向かって段階的に短くなることが重要である。
【００３１】
これによって、このフェライトコア６の巻芯部５に導線７を巻回してコモンモードノイズフィルターを形成した場合、巻芯部５の導線７から各脚部２ａ、２ｃ、１２ａ、１２ｃへ配線する際に障害になることなく導線７と各脚部２ａ、２ｃ、１２ａ、１２ｃの間に所定の間隔が生まれ導線７と脚部２ａ、２ｃ、１２ａ、１２ｃの電極４が接触して起こる短絡を防止し、且つ導線７と脚部２ａ、２ｃ、１２ａ、１２ｃが接触して発生する耐圧劣化の発生を防止することができる。
また、上記巻芯部５の軸Ｘ方向に平行な最大長さＡ１〜Ａ６を規定することで、巻芯部５の軸Ｘの方向に巻回された導線７が各脚部２ａ〜２ｃ、１２ａ〜１２ｃに配線される際、導線７が分配されるポイントから放射状に各脚部２ａ〜２ｃ、１２ａ〜１２ｃへ向かう。つまり、各脚部２ａ〜２ｃ、１２ａ〜１２ｃの巻芯部５の軸方向Ｘに平行となる寸法を変えることで放射角を広げることができる。
【００３２】
さらに、各脚部２ａ〜２ｃ、１２ａ〜１２ｃの最大長さＡ１〜Ａ６は、Ａ１、Ａ４を１とした場合、Ａ２、Ａ５はその３／４以下とすることが好ましく、また、そのＡ２、Ａ５を１とした場合、Ａ３、Ａ６をその３／４以下とすることが好ましく、より確実に巻芯部５の導線７から各脚部２ａ〜２ｃ、１２ａ〜１２ｃへ配線する際に導線７と各脚部２ａ〜２ｃ、１２ａ〜１２ｃの間に所定の間隔が生まれ、導線７と電極４が接触して起こる短絡を防止し、耐圧劣化の発生を防止することができる。これについては、図２のように、それぞれの鍔部３、１３の脚部２、１２が２つの場合も同様である。
【００３３】
次いで、本発明のフェライトコアの第２の実施形態について図３〜図５を用いて説明する。
【００３４】
図３（ａ）、（ｂ）に示すように、全ての脚部２ａ〜２ｃ、１２ａ〜１２ｃの断面が巻芯部５側から底面側に向かって一定であり、脚部２ａ〜２ｃ、１２ａ〜１２ｃの底面における長軸Ｃと短軸Ｄの比であるアスペクト比が１より大きく、且つ全ての脚部２ａ〜２ｃ
、１２ａ〜１２ｃの底面積が実質的に等しい場合、第１鍔部３の各脚部２ａ〜２ｃの長軸Ｃと上記巻芯部５の軸Ｘ方向とが成す角度θが一方側面の脚部２ｃから他方側面の脚部２ａに向かって段階的に小さくなるとともに、第２鍔部１３の各脚部１２ａ〜１２ｃの長軸Ｄと上記巻芯部５の軸Ｘとが成す角度θ’が他方側面の脚部１２ａから一方側面の脚部１２ｃに向かって段階的に小さくなることを特徴とする。
【００３５】
このようにアスペクト比が１より大きい形状、例えば図３（ａ）、（ｂ）に示すような楕円形状や長方形状の脚部２ａ〜２ｃ、１２ａ〜１２ｃを有する場合、その脚部２ａ〜２ｃ、１２ａ〜１２ｃの向きを段階的に変えることで巻芯部５側への脚部２ａ〜２ｃ、１２ａ〜１２ｃの突出量を調整でき、導線７と脚部２ａ〜２ｃ、１２ａ〜１２ｃとの間隔を自由に設計できる。
【００３６】
また、第１の実施形態と同じ効果が得られ、各脚部２ａ〜２ｃ、１２ａ〜１２ｃの底面積がほぼ等しい大きさとなっていることから実装時の接着強度がさらに安定化することができる。
【００３７】
特に、楕円形状になると角がないことから、万が一導線７と脚部２ａ〜２ｃ、１２ａ〜１２ｃとが接触したとしても耐圧劣化が発生しにくいと言う利点がある。
【００３８】
なお、長軸Ｃとは、脚部２ａ〜２ｃ、１２ａ〜１２ｃの底面の重心を通り、外周を結ぶ最長の軸であり、短軸Ｄとは重心を通り長軸Ｃに直交する軸である。
【００３９】
また、脚部２ａ〜２ｃ、１２ａ〜１２ｃの底面積が実質的に等しいとは、各脚部の底面積のバラツキが±１０％の範囲内であることを示す。
【００４０】
また、各脚部２ａ〜２ｃ、１２ａ〜１２ｃと軸Ｘがなす角度θは、隣接する脚部間で電極４を形成した後その電極４同士の接触による短絡が発生しない範囲で決めることが望ましい。
【００４１】
さらに、小型化に関しては導線７と脚部２ａ〜２ｃ、１２ａ〜１２ｃとの間隔を最小限に抑えた設計にすることが望ましい。
【００４２】
またさらに、この場合、図４に示すように第１鍔部３および第２鍔部１３のそれぞれの脚部２ａ〜２ｃ、１２ａ〜１２ｃのうち、一方側面側に形成された脚部２ｃ、１２ｃの長軸Ｃと他方側面側に形成された脚部２ａ、１２ａの長軸Ｃとの成す角度が約９０°であることが好ましい。
【００４３】
これは、他方側面側に形成された脚部２ａ、一方側面側に形成された脚部１２ｃを軸Ｘに各他方側面側に形成された脚部２ｃ、一方側面側に形成された脚部１２ａを内側方向に向け回転移動させることにより導線７と各脚部２ａ〜２ｃ、１２ａ〜１２ｃとの間隔が大きく取れるようになり導線７と各脚部２ａ〜２ｃ、１２ａ〜１２ｃの電極４との接触による短絡、各脚部２ａ〜２ｃ、１２ａ〜１２ｃとの接触による耐圧劣化の発生を防止し更なる安全性が得られる。
【００４４】
また、図５に示すように第１鍔部３の脚部２ａ、２ｃ、第２鍔部１３の脚部１２ａ、１２ｃのうち、一方側面側に形成された脚部２ａ、１２ｃの長軸Ｃが巻芯部５の軸Ｘに対して垂直、且つ他方側面側に形成された脚部２ｃ、１２ａの長軸Ｃが巻芯部５の軸に対して平行にすることがより好ましい。
【００４５】
これによって、上述と同じ効果の他、さらに脚部２ａ、２ｃ、１２ａ、１２ｃの底面形
状において長軸Ｃの寸法と、短軸Ｄの寸法との寸法比を大きくすることで、図５（ａ）に示すように導線７を巻回した場合、導線７と各脚部２ａ、２ｃ、１２ａ、１２ｃとの間隔が大きく取れるようになりさらに安全性が高くなる。
【００４６】
なお、図５では第1鍔部３、第２鍔部１３の脚部２、１２をそれぞれ２つとしたが、３
つ以上の場合も同様に、各鍔部３、１３の一方側面側に形成された脚部、他方側面側に形成された脚部と巻芯部５の軸Ｘとの角度を特定することで同様の効果を得ることができる。
【００４７】
次いで、本発明のフェライトコアの第３の実施形態について図６、図７を用いて説明する。
【００４８】
図６（ａ）、（ｂ）、図７（ａ）、（ｂ）に示すように、上記第１鍔部３に形成された両方の側面側の脚部２ａ、２ｃ間の距離Ｅが巻芯部５の幅Ｆと同じか、それより大きく、且つ上記第２鍔部１３に形成された両方の側面側の脚部１２ａ、１２ｃ間の距離Ｅ’が巻芯部５の幅Ｆと同じか、それより大きいことを特徴とする。
【００４９】
これによって、図６（ａ）、図７（ａ）に示すように導線７を巻回したコモンモードノイズフィルターにおいて、少なくとも両方の側面側の脚部２ａ、２ｃ、１２ａ、１２ｃが巻芯部５に巻かれた導線７から各脚部２ａ、２ｃ、１２ａ、１２ｃへ配線する際に障害になることなく導線７と脚部の電極４が接触して起こる短絡を防止すると共に導線７と各脚部２ａ〜２ｃ、１２ａ〜１２ｃとの接触から発生する耐圧劣化を防止することができる。
【００５０】
また、図６に示すように、巻芯部５との境界における距離Ｅが巻芯部５の幅Ｆと同じ場合、金型の構造がきわめて簡素化されるため金型製造コストを抑えることができる。
【００５１】
さらに、図７に示すように、巻芯部５との境界における距離Ｅが巻芯部５の幅Ｆより大きい場合は、巻芯部５との境界における距離Ｅが巻芯部５の幅Ｆと同じ場合に比べさらに導線７と脚部２ａ、２ｃ、１２ａ、１２ｃとの間隔が広がり導線７と脚部２ａ、２ｃ、１２ａ、１２ｃとが接触して発生する耐圧劣化の防止効果が大きくなる。
【００５２】
またさらに、巻芯部５との境界における距離Ｅが巻芯部５の幅Ｆより大きい場合の差寸設定としては、最低限導線７の線径以上取ることが好ましい。
【００５３】
なお、脚部２ａ、２ｃ間の距離Ｅとは、巻芯部５の軸Ｘに垂直で、巻芯部５との境界における距離を示すものであり、第２鍔部１３に形成された両方の側面側の脚部１２ａ、１２ｃ間の距離Ｅ’が巻芯部５の軸Ｘに垂直で、巻芯部５との境界における距離を示し、脚部２、１２が底面に向かって先細り形状となっている場合等においても巻芯部５と連続する位置における距離を示すものである。また、巻芯部５の幅Ｆとは、巻芯部５の中心の幅であるが、図５に示すように脚部間の距離Ｅ、Ｅ’と巻芯部の幅Ｆが同じ場合には脚部間の距離Ｅ、Ｅ’をとった位置と同じ箇所を巻芯部５の幅Ｆとする。
【００５４】
このように、各脚部各脚部２ａ、２ｃ、１２ａ、１２ｃと巻芯部５との境界における幅Ｅを規定するのは、脚部２ａ〜２ｃ、１２ａ〜１２ｃの断面積が底面側に向かって小さくなるような場合、即ち先細り形状の場合においても巻芯部５に巻回された導線７の妨げとならないためである。
【００５５】
さらに、図６、７では第１鍔部３、第２鍔部１３のそれぞれの脚部が２つづつ備えられた場合で説明したが、第１鍔部３、第２鍔部１３にそれぞれ脚部が３つ以上備えられた場合には両側面側の脚部の巻芯部５との境界における距離Ｅとなる。
【００５６】
また、図８（ａ）、（ｂ）に示すように、第１鍔部３、第２鍔部１３にそれぞれ脚部が３つ以上備えられた場合、各脚部２ａ〜２ｃ、１２ａ〜１２ｃのうち内側の脚部２ｂ、１２ｂが両側面側の脚部２ａ、２ｃ、１２ａ、１２ｃに比し、小さくすることを特徴とする。
【００５７】
これによって、図８（ａ）に示すように導線７を巻回したコモンモードノイズフィルターにおいて、両側面側の脚部２ａ、２ｃ、脚部１２ａ、１２ｃを大きく取っていることから実装時の接着面積を大きく取れることから密着強度の安定化が図れるとともに、内側の脚部２ｂ、１２ｂが両側面側の脚部２ａ、２ｃ、１２ａ、１２ｃに比べ小さいことから導線７と各脚部２ａ〜２ｃ、１２ａ〜１２ｃとの接触から発生する耐圧劣化を防止することができる。
【００５８】
また、脚部２ａ、２ｃ、１２ａ、１２ｃの軸Ｘ方向の長さを１とした場合、脚部２ｂ、１２ｂは、その軸Ｘ方向の長さを３／４以下にすることが好ましく、導線７と各脚部２ａ〜２ｃ、１２ａ〜１２ｃとの接触をより確実に防止し、耐圧劣化を防止することができる。
【００５９】
なお、上述の第１〜第３の実施形態では、脚部２ａ〜２ｃ、１２ａ〜１２ｃの断面が巻芯部５側から底面側に向かって一定であることから、金型については、分割タイプを使用することになるが、このことにより同じ金型でありながら脚部２、１２の高さを自由に変えることができるため、導線７の線径変更による脚部２、１２の高さの調整が簡単に行うことができる。
【００６０】
また、さらなる低背化の要求が発生しても金型を作り替えるもしくは、修正加工することなく対応することができ金型コストの削減が行える。
【００６１】
次に、本発明のフェライトコア６の製造方法を説明する。
【００６２】
例えば、図１に示すようなフェライトコア６を作製する場合、先ず、フェライト磁器の原料となるＮｉ−Ｚｎ系フェライト、Ｍｎ−Ｚｎ系フェライトなどの粉末に所定のバインダーを加えスプレードライなどにより、粉末成形に適した顆粒に造粒して原料粉末を得る。
【００６３】
特に、使用周波数や表面抵抗値の問題からＮｉ−Ｚｎ系フェライトから成ることが好ましい。
【００６４】
次いで、この原料粉末を粉末プレス成型機にセットした巻芯部５と脚部２ａ〜２ｃ、１２ａ〜１２ｃとに分割してなる金型に充填し、所定の圧力で加圧してフェライト磁器となる成形体を得る。
【００６５】
その後、得られた成形体を電気炉やガス炉などの焼成炉にて所定の焼成温度で焼成し焼結することにより、フェライト磁器となる焼結体を得る。
【００６６】
次に、得られた焼結体の表面処理、バリの除去を行うためバレル加工を行う。バレル加工は、例えば磁器製のポット状容器の中に焼結体、水および研磨剤等を入れ、回転させることにより行う加工であるため、バッチ処理が可能であり加工費用を安くすることができる。また、バレル加工として研磨剤によって加工する際も、水のみで焼結体同士の摩擦力だけで加工する際も、その研磨加工は水中にて行うため必要以上に面の荒れが発生せず、バレル加工後も強度を維持できるといった特徴を有する。
【００６７】
また、脚部２ａ〜２ｃ、１２ａ〜１２ｃの電極４を形成するフェライト磁器の焼結体の表面粗さは、Ｒａ０．２〜０．６μｍであることが望ましい。表面粗さがＲａ０．２μｍより小さいと脚部２ａ〜２ｃ、１２ａ〜１２ｃに印刷した厚膜が剥がれやすく、製品として実装した場合の密着強度が低下する。一方、Ｒａ０．６μｍより大きいと表面が荒れた状態となり強度が低下する。
【００６８】
なお、表面粗さの測定方法は、フェライト磁器を脚部２ａ〜２ｃ、１２ａ〜１２ｃ側を上にして平板上に固定し厚膜を印刷する脚部２ａ〜２ｃ、１２ａ〜１２ｃの底面部に表面粗さ計の触針を当て測定されるものである。Ｒａの調整はバレル加工時の磁器製などのポットの回転数によって調整する。ポットの回転が速いと焼結体同士や焼結体と研磨剤が強くぶつかるためＲａは大きくなる。ポットの回転数を下げれば焼結体同士や焼結体と研磨剤のぶつかりが弱くなるためＲａは小さくなる。
【００６９】
しかる後、脚部２ａ〜２ｃ、１２ａ〜１２ｃの底面部に電極４を形成する。この方法としては、ディッピングやスクリーン印刷、転写などの方法を用いてＡｇやＡｇＰｄなどの厚膜を印刷して焼成を行い、次にその厚膜上にＮｉやＣｕ、Ｓｎ、ＳｎＰｂ、Ａｕなどを用途、要求に合わせて幾層かメッキ処理にて作製する。このメッキ処理は、厚膜印刷を行ったフェライト磁器を作製したい層の成分の溶けたメッキ液に浸して電流を流すことによりフェライト磁器に形成された厚膜上に所定のメッキ層が形成され、その際、フェライト磁器に付着したメッキ液を洗浄することで形成されフェライトコア６を得ることができる。
【００７０】
このようにして得られたフェライトコア６は、コモンモードノイズフィルターとして好適に用いられる。
【００７１】
上述の各実施形態におけるフェライトコア６の巻芯部５にバイファイラ巻等により複数の導線７を数ターンから数十ターン巻回して、さらに、導線７の巻き始めの先端と巻終わりの端末を各脚部の底面側の電極４に各々半田付けや熱圧着等により導電接続した構造となっている。
【００７２】
この様に各脚部の大きさ、向き、形状を変えることで隣接する脚部及び電極４の距離が保てコモンモードノイズフィルターの各電極４間の絶縁抵抗が保たれる。また、隣接する電極４に厚着した導線が他の脚部の電極４のそばを通ったとしても脚部に接しないためショートや短絡、圧力劣化を防止することができる。
【実施例】
【００７３】
（実施例１）
先ず、図２に示すような本発明のフェライトコア６を得るため、磁性材料としてＮｉ−Ｚｎ系フェライト材とバインダーを混練後、スプレードライヤーにて原料粉末を作製した。次いで、この原料粉末を用い巻芯部５と脚部２ａ〜２ｃ、１２ａ〜１２ｃとに分割してなる金型を製作し、粉末プレス成型機にセットした後、原料を充填し成形した。
【００７４】
その後、９００〜１３００℃で焼成して４つの脚部２ａ、２ｃ、１２ａ、１２ｃを持つフェライト磁器となる焼結体を２０個作製した。
【００７５】
その際、各脚部２ａ、２ｃ、１２ａ、１２ｃの最大長さの設定は、下記の通りとした。
【００７６】
脚部２ｃ、１２ａの最大長さＡ１・・・０．４ｍｍ
脚部２ａ、１２ｃの最大長さＡ１・・・０．３ｍｍ
そして、この焼結体を磁器からなるポット状容器を有するバレル装置に入れバレル加工を施し表面処理とバリ除去を行ったフェライト磁器を作製した。
【００７７】
次いで、全てのフェライト磁器に電極４を形成し各２０個のフェライトコア試料を得た。電極４は、フェライト磁器の各脚部２ａ、２ｃ、１２ａ、１２ｃにディッピングによりＡｇの厚膜を印刷して焼成を行い、フェライト磁器に厚膜を焼き付け、その厚膜上にＮｉ、Ｓｎを電界メッキにて作製した。
【００７８】
それぞれの電極４の厚みはＡｇが２０μｍ、Ｎｉが２μｍ、Ｓｎが７μｍとし、Ａｇ厚膜の脚部２ａ、２ｃ、１２ａ、１２ｃの底面側から巻芯部５に向けての寸法は０．１ｍｍとした。
【００７９】
次いで、得られた各フェライトコア試料を下記の方法にて評価する。
【００８０】
（１）各フェライトコア試料を各２０個ずつ用意し、それに、直径０．１ｍｍの導線７を７ターン巻回し各脚部２ａ、２ｃ、１２ａ、１２ｃに半田にて接合して導線７と脚部２ａ、２ｃ、１２ａ、１２ｃが接していないか双眼顕微鏡にて確認した。
【００８１】
（２）評価（１）にて確認した各フェライトコア試料各２０個をＨＯＺＡＮ社製のハイレジスタンスメーターＤＴ−１１０にて対になっている脚部２ａ−１２ｃ、２ｃ−１２ａが他の脚部と短絡していないか導通状態を確認した。
【００８２】
方法としては、脚部２ａに対して脚部１２ａが導通していないかを確認する。
【００８３】
（３）各フェライトコア試料を脚部２ａ、２ｃ、１２ａ、１２ｃの底面の電極４を用い実装基板上に半田付けし、そのフェライトコア試料を実装した実装基板をＡＩＫＯＨ社製のテストスタンドに両面テープを用い固定しＡＩＫＯＨ社製のＣＰＵ ＧＡＧＥを用いフ
ェライトコア６の実装時の略四角形のサイズのうち、縦２．０ｍｍの辺の巻芯部５を実装基板と平行な方向に圧子で５ｍｍ／分の速度で加圧する。このように加圧した場合に脚部２ａ、２ｃ、１２ａ、１２ｃが全て破壊し実装基板からフェライトコア試料が外れる時の強度を評価した。
【００８４】
結果を表１に示す。
【００８５】
【表１】
2011097085.tif 000003
【００８６】
表１から明らかなように、導線７と各脚部２ａ、２ｃ、１２ａ、１２ｃの接触がなかったことにより耐圧劣化についての対応が取れていた。また、導線７と電極４の接触による短絡についても問題は発生していない。
【００８７】
最後の密着強度については、従来品とほぼ同等の密着強度を示していた。
【００８８】
以上のことから、図２に示すように脚部２ａ、２ｃ、１２ａ、１２ｃの最大長さを変えることにより短絡や耐圧劣化のような問題を解消できることを証明した。
【００８９】
（実施例２）
次に、実施例１と同様に図５に示すような本発明のフェライトコア６を得るため、磁性材料としてＮｉ−Ｚｎ系フェライト材とバインダーを混練後、スプレードライヤーにて原料粉末を作製した。次いで、この原料粉末を用い巻芯部５と脚部２ａ〜２ｃ、１２ａ〜１２ｃとに分割してなる金型を製作使用し粉末プレス成型機にセットした後、原料を充填し成型した。
【００９０】
その後、９００〜１３００℃で焼成して４つの脚部２ａ、２ｃ、１２ａ、１２ｃを持つフェライト磁器となる焼結体を２０個作製した。
【００９１】
その際、各脚部２ａ、２ｃ、１２ａ、１２ｃの長軸Ｃの設定は全て０．４ｍｍとした。
【００９２】
そして、この焼結体を磁器からなるポット状容器を有するバレル装置に入れバレル加工を施し表面処理とバリ除去を行ったフェライト磁器を作製した。
【００９３】
次いで、全てのフェライト磁器に電極４を形成し各２０個のフェライトコア試料を得た。電極４は、フェライト磁器の各脚部２ａ、２ｃ、１２ａ、１２ｃにディッピングによりＡｇの厚膜を印刷して焼成を行い、フェライト磁器に厚膜を焼き付け、その厚膜上にＮｉ
、Ｓｎを電界メッキにて作製した。
【００９４】
それぞれの電極４の厚みはＡｇが２０μｍ、Ｎｉが２μｍ、Ｓｎが７μｍとし、Ａｇ厚膜の脚部２ａ、２ｃ、１２ａ、１２ｃの底面側から巻芯部５に向けての寸法は０．１ｍｍとした。
【００９５】
次いで、得られた各フェライトコア試料を実施例１と同様の方法にて比較評価した。
【００９６】
結果を表２に示す。
【００９７】
【表２】
2011097085.tif 000004
【００９８】
表２から明らかなように、導線７と各脚部２ａ、２ｃ、１２ａ、１２ｃの接触がなかったことにより耐圧劣化についての対応が取れていることを示している。
【００９９】
また、導線７と電極４の接触による短絡についても問題は発生していない。
【０１００】
最後の密着強度については、先に評価した図２のもの９．１Ｎに対し図５のものは１３．０Ｎと密着強度を上げることができた。
【０１０１】
以上のことから、脚部２ａ、２ｃ、１２ａ、１２ｃの角度を変えることにより短絡や耐圧劣化のような問題を解消できると共に密着強度を上げることが証明された。
【符号の説明】
【０１０２】
１  鍔部
２  脚部
３  第１鍔部
４  電極
５  巻芯部
６  フェライトコア
７  導線
１１  鍔部
１２  脚部
１３  第２鍔部
Ａ１〜Ａ６  最大長さ
Ｂ  短辺寸法
Ｃ  脚部の長軸
Ｄ  脚部の短軸
Ｅ  第１鍔部の両側面側の脚部間の距離
Ｅ’  第２鍔部の両側面側の脚部間の距離
Ｆ  巻芯部の幅
Ｘ  巻芯部の軸
【図１】
2011097085.tif 000005
【図２】
2011097085.tif 000006
【図３】
2011097085.tif 000007
【図４】
2011097085.tif 000008
【図５】
2011097085.tif 000009
【図６】
2011097085.tif 000010
【図７】
2011097085.tif 000011
【図８】
2011097085.tif 000012
【図９】
2011097085.tif 000013
【図１０】
2011097085.tif 000014